(57)【要約】【課題】構造がシンプルなエギの提供。【解決手段】エギは、ツインフック２６を備えている。このツインフック２６は、１本の線材が曲げられることで形成されている。このツインフック２６は、第一フック２８、第一シャンク３０、第二シャンク３２及び第二フック３４からなる。第一シャンク３０は、第二シャンク３２よりも短い。従って、第一フック２８は、第二フック３４よりも前方に位置している。軸の外周面に沿って、複数のツインフック２６が並べられる。複数の第一フック２８によって、前傘針が形成される。複数の第二フック３４によって、後傘針が形成される。第一フック２８と第二フック３４とは、周方向において、交互に配置されている。【選択図】図３
2009060864.tif 000002
【特許請求の範囲】
【請求項１】
複数のツインフックを備えており、
このツインフックが、１本の線材が曲げられることで形成されており、
このツインフックが、第一フックと、この第一フックに連続する第一シャンクと、この第一シャンクに連続しており第一シャンクと並列された第二シャンクと、この第二シャンクに連続する第二フックとを備えており、
第一フックの先端が第二フックの先端よりも前方に位置しており、
複数の第一フックによって前傘針が形成され、複数の第二フックによって後傘針が形成されている疑似餌。
【請求項２】
上記第一シャンクが第二シャンクよりも短いことにより、第一フックの先端が第二フックの先端よりも前方に位置することが達成されている請求項１に記載の疑似餌。
【請求項３】
上記第一フックが第二フックよりも長いことにより、第一フックの先端が第二フックの先端よりも前方に位置することが達成されている請求項１に記載の疑似餌。
【発明の詳細な説明】
【技術分野】
【０００１】
本発明は、イカ釣り等に用いられる疑似餌に関する。詳細には、本発明は、疑似餌の傘針の改良に関する。
【背景技術】
【０００２】
近年、エギングと称されるイカ釣りが盛んに行われている。このイカ釣りには、疑似餌としてのエギが用いられる。図７（ａ）は従来のエギの一部が示された正面図であり、図７ｂ）はその平面図である。このエギは、軸２、前傘針４及び後傘針６を備えている。前傘針４は、複数の前ツインフック８からなる。この前ツインフック８は、軸２に固定されている。図７では、１つの前ツインフック８が示されている。実際は、軸２の周方向に沿って複数の前ツインフック８が並べられる。後傘針６は、複数の後ツインフック１０からなる。この後ツインフック１０は、軸２に固定されている。図７では、１つの後ツインフック１０が示されている。実際は、軸２の周方向に沿って複数の後ツインフック１０が並べられる。２つの傘針４、６を備えたエギが、特開２００４−８９１２０公報に開示されている。
【特許文献１】特開２００４−８９１２０公報
【発明の開示】
【発明が解決しようとする課題】
【０００３】
図７に示されたエギでは、２種のツインフック８、１０が軸２に固定される必要がある。このエギの構造は、複雑である。このエギの製造には手間とコストとがかかる。このエギは、構造が複雑なので、強度にも劣る。
【０００４】
本発明の目的は、構造がシンプルな疑似餌の提供にある。
【課題を解決するための手段】
【０００５】
本発明に係る疑似餌は、複数のツインフックを備える。このツインフックは、１本の線材が曲げられることで形成される。このツインフックは、第一フックと、この第一フックに連続する第一シャンクと、この第一シャンクに連続しており第一シャンクと並列された第二シャンクと、この第二シャンクに連続する第二フックとを備える。第一フックの先端は、第二フックの先端よりも前方に位置する。このエギでは、複数の第一フックによって前傘針が形成され、複数の第二フックによって後傘針が形成される。
【０００６】
好ましくは、第一シャンクが第二シャンクよりも短いことにより、第一フックの先端が第二フックの先端よりも前方に位置することが達成される。
【０００７】
第一フックが第二フックよりも長いことにより、第一フックの先端が第二フックの先端よりも前方に位置することが達成されてもよい。
【発明の効果】
【０００８】
本発明に係る疑似餌では、１種のツインフックによって前傘針及び後傘針が形成される。この疑似餌の構造は、シンプルである。この疑似餌は、簡便かつ低コストで製造されうる。この疑似餌は、強度にも優れる。
【発明を実施するための最良の形態】
【０００９】
以下、適宜図面が参照されつつ、好ましい実施形態に基づいて本発明が詳細に説明される。
【００１０】
図１は、本発明の一実施形態に係る疑似餌としてのエギ１０が示された正面図である。図１において、左側がエギ１０の前側であり、右側がエギ１０の後側である。このエギ１０は、ボディ１２、ヒレ１４、ラインアイ１６、重錘１８、軸２０、前傘針２２及び後傘針２４を備えている。
【００１１】
ボディ１２の形状は、エビに類似している。ボディ１２は、木又は合成樹脂からなる。ボディ１２の表面が着色されてもよい。ボディ１２の表面に、模様が画かれてもよい。着色や模様は、イカに対するアピールに寄与する。ボディ１２にクロスが巻かれ、このクロスが着色されてもよい。
【００１２】
ヒレ１４は、合成樹脂等からなる。ヒレ１４は、毛羽状である。ヒレ１４は、ボディ１２に、接着剤等の手段によって接合されている。水中において、ヒレ１４は揺れ動く。この動きは、イカに対してアピールする。
【００１３】
ラインアイ１６は、ボディ１２の前端に位置する。ラインアイ１６は、金属線が曲げられて形成されている。金属線の後端は、ボディ１２に埋め込まれており、ボディ１２に堅固に固定されている。このラインアイ１６には、直接に又は連結金具を介して、ラインが結ばれる。
【００１４】
重錘１８は、ボディ１２の下方に位置している。重錘１８の一部は、ボディ１２に埋設されている。この埋設により、重錘１８がボディ１２に堅固に固定されている。重錘１８は、高比重な材料からなる。重錘１８は、典型的には、鉛又は鉛合金からなる。重錘１８が、タングステン又はタングステン合金からなってもよい。重錘１８により、エギ１０の水中姿勢及び沈降速度が調節されうる。
【００１５】
図２は、図１のエギ１０の一部が示された拡大断面図である。この図２には、ボディ１２、軸２０及びツインフック２６が示されている。軸２０は、ボディ１２の後端から後方へと延びている。軸２０の一部は、ボディ１２に埋設されている。この埋設により、軸２０がボディ１２に堅固に固定されている。軸２０は、高剛性な合成樹脂、金属等からなる。この軸２０に、ツインフック２６が固定されている。固定は、接着剤によってなされる。ツインフック２６のシャンク（後に詳説される）と軸２０とが金属リングに圧入されることで、ツインフック２６が軸２０に固定されてもよい。ツインフック２６の好ましい材質は、ステンレススチールである。
【００１６】
図２には、２つのツインフック２６が示されている。実際には、軸２０の周方向に沿って多数のツインフック２６が並べられる。ツインフック２６の数は、４以上１０以下が好ましい。
【００１７】
図３（ａ）は図２のエギ１０のツインフック２６が示された正面図であり、図３（ｂ）はその平面図である。このツインフック２６は、１本の線材が曲げられることで形成されている。このツインフック２６は、第一フック２８、第一シャンク３０、第二シャンク３２及び第二フック３４からなる。
【００１８】
第一フック２８は、略「Ｊ」字状に湾曲している。第一フック２８の先端３６は、鋭利である。第一シャンク３０は、略直線状である。第一シャンク３０は、第一フック２８と連続している。第二シャンク３２は、略直線状である。第二シャンク３２は、折り曲げ点３８を介して第一シャンク３０と連続している。第二シャンク３２は、第一シャンク３０と並列している。第二フック３４は、略「Ｊ」字状に湾曲している。第二フック３４の先端４０は、鋭利である。第二フック３４は、第二シャンク３２に連続している。
【００１９】
第一シャンク３０は、第二シャンク３２よりも短い。従って、第一フック２８は、第二フック３４よりも前方（図３中左側）に位置している。第一フック２８の先端３６は、第二フック３４の先端４０よりも前方に位置している。複数の第一フック２８によって、前傘針２２（図１参照）が形成されている。複数の第二フック３４によって、後傘針２４（図１参照）が形成されている。
【００２０】
図４は、図２のIV−IV線に沿った断面図である。このエギ１０は、８個のツインフック２６を備えている。従ってこのエギ１０は、８個の第一フック２８、８個の第一シャンク３０、８個の第二シャンク３２及び８個の第二フック３４を備えている。図４に示されるように、軸２０の外周面には、８個の第一シャンク３０と８個の第二シャンク３２とが、ほぼ等間隔で並んでいる。これら第一シャンク３０及び第二シャンク３２は、周方向において交互に並んでいる。
【００２１】
このエギ１０では、８個の第一フック２８が放射状に配置されており、８個の第二フック３４が放射状に配置されている。図４に示されるように、第一フック２８と第二フック３４とは周方向において交互に配置されている。１つの第一フック２８は、２つの第二フック３４に挟まれている。２つの第二フック３４からほぼ等距離な位置に、１つの第一フック２８が存在している。さらに、１つの第二フック３４は、２つの第一フック２８に挟まれている。２つの第一フック２８からほぼ等距離な位置に、１つの第二フック３４が存在している。
【００２２】
図５は、図２のＶ−Ｖ線に沿った断面図である。この図５には、第一フック２８及び第一シャンク３０は表れない。図５に示されるように、軸２０の外周面に、８個の第二シャンク３２が等間隔で並んでいる。さらに、８個の第二フック３４が、等間隔に並んでいる。第一シャンク３０が短いので、軸２０の外周面の一部はこの第一シャンク３０に覆われることなく、露出している。短い第一シャンク３０は、エギ１０の軽量に寄与する。短い第一シャンク３０が用いられることにより、重心位置が前寄りであるエギ１０が得られうる。
【００２３】
ラインアイ１６に結ばれたラインが引かれることで、エギ１０は水中を泳ぐ。このエギ１０を生きたベイトと勘違いしたイカは、エギ１０の後方からエギ１０に近づき、触腕を伸ばす。触腕でエギ１０を捕らえたイカは、さらに触腕及び腕でエギ１０を抱き込む。前傘針２２の第一フック２８又は後傘針２４の第二フック３４が触腕又は腕にフッキングし、イカが釣り上げられる。
【００２４】
イカの触腕又は腕が、隣接する２つの第一フック２８の間に位置することがある。この場合、前傘針２２によるフッキングはなされない。周方向において、隣接する２つの第一フック２８の間には、第二フック３４が存在している。この第二フック３４が、触腕又は腕にフッキングし、イカが釣り上げられうる。第一フック２８と第二フック３４とが交互に配置されることで、高いフッキング率が達成される。
【００２５】
このエギ１０では、１種のツインフック２６によって前傘針２２及び後傘針２４が形成される。従って、このエギ１０の部品数は、図７に示された従来のエギの部品数に比べて少ない。このエギ１０の構造は、シンプルである。このエギ１０では、軸２０へのツインフック２６の固定の手間が少ない。このエギ１０は、簡便かつ低コストで製造されうる。このエギ１０では、広い面積にわたってシャンク３０、３２が軸２０に接触し、この軸２０にシャンク３０、３２が固定されるので、ツインフック２６が軸２０から離脱しにくい。このエギ１０は、耐久性に優れる。
【００２６】
図６（ａ）は本発明の他の実施形態に係るエギのツインフック４２が示された正面図であり、図６（ｂ）はその平面図である。このエギの、ツインフック４２以外の部材の構成は、図１から５に示されたエギ１０のそれと同等である。このツインフック４２は、１本の線材が曲げられることで形成されている。このツインフック４２は、第一フック４４、第一シャンク４６、第二シャンク４８及び第二フック５０からなる。
【００２７】
第一フック４４は、略「Ｊ」字状に湾曲している。第一フック４４の先端５２は、鋭利である。第一シャンク４６は、略直線状である。第一シャンク４６は、第一フック４４と連続している。第二シャンク４８は、略直線状である。第二シャンク４８は、折り曲げ点５４を介して第一シャンク４６と連続している。第二シャンク４８は、第一シャンク４６と並列している。第二フック５０は、略「Ｊ」字状に湾曲している。第二フック５０の先端５６は、鋭利である。第二フック５０は、第二シャンク４８に連続している。
【００２８】
第一シャンク４６の長さは、第二シャンク４８の長さと同等である。一方、第一フック４４は第二フック５０よりも長い。従って、第一フック４４の先端５２は、第二フック５０の先端５６よりも前方（図６における左側）に位置している。
【００２９】
このエギでも、軸の周方向に沿って複数のツインフック４２が並べられる。複数の第一フック４４によって、前傘針が形成される。複数の第二フック５０によって、後傘針が形成される。前傘針又は後傘針により、イカの触腕又は腕がフッキングされ、イカが釣り上げられる。第一フックと第二フックとは交互に配置されるので、高いフッキング率が達成される。
【００３０】
このエギの部品数は、従来のエギの部品数に比べて少ない。このエギの構造は、シンプルである。このエギは、簡便かつ低コストで製造されうる。このエギでは、広い面積にわたってシャンクが軸に固定されるので、ツインフック４２が軸から離脱しにくい。このエギは、耐久性に優れる。
【産業上の利用可能性】
【００３１】
前傘針及び後傘針を形成するツインフックは、スッテ、タコベイト等の種々の疑似餌に採用されうる。
【図面の簡単な説明】
【００３２】
【図１】図１は、本発明の一実施形態に係る疑似餌としてのエギが示された正面図である。
【図２】図２は、図１のエギの一部が示された拡大断面図である。
【図３】図３（ａ）は図２のエギのツインフックが示された正面図であり、図３（ｂ）はその平面図である。
【図４】図４は、図２のIV−IV線に沿った断面図である。
【図５】図５は、図２のＶ−Ｖ線に沿った断面図である。
【図６】図６（ａ）は本発明の他の実施形態に係るエギのツインフックが示された正面図であり、図６（ｂ）はその平面図である。
【図７】図７（ａ）は従来のエギの一部が示された正面図であり、図７（ｂ）はその平面図である。
【符号の説明】
【００３３】
１０・・・エギ
１２・・・ボディ
１４・・・ヒレ
１６・・・ラインアイ
１８・・・重錘
２０・・・軸
２２・・・前傘針
２４・・・後傘針
２６・・・ツインフック
２８・・・第一フック
３０・・・第一シャンク
３２・・・第二シャンク
３４・・・第二フック
【図１】
2009060864.tif 000003
【図２】
2009060864.tif 000004
【図３】
2009060864.tif 000005
【図４】
2009060864.tif 000006
【図５】
2009060864.tif 000007
【図６】
2009060864.tif 000008
【図７】
2009060864.tif 000009